(57)【要約】【課題】振動接触による剛体部等の変色を抑制できながら、自由度の高い設計も可能にする。【解決手段】キャリッジ側に取り付けられて軸回りに回転駆動されるベース・プレート５と、剛体部１１及びばね部１３を含み剛体部１１がベース・プレート５側にばね部１３を介して支持されると共に情報の書き込み，読み取りを行う先端側のヘッド部９に負荷荷重を与えるロード・ビーム３と、ヘッド部９を書き込み用及び読み取り用の配線に接続すると共にヘッド部９を支持し少なくとも剛体部１１側に取り付けられるフレキシャ７とを備えたヘッド・サスペンション１において、ロード・ビーム３の剛体部１１に、フレキシャ７のカット部４９，５１の振動接触を避けるための凹部５３，５５を設けたことを特徴とする。【選択図】    図１
2006331580.tif 000002
【特許請求の範囲】
【請求項１】
キャリッジ側に取り付けられて軸回りに回転駆動されるベース部と、
剛体部及びばね部を含み前記剛体部が前記ベース部側に前記ばね部を介して支持されると共に情報の書き込み，読み取りを行う先端側のヘッド部に負荷荷重を与えるロード・ビームと、
前記ヘッド部を書き込み用及び読み取り用の配線に接続すると共に該ヘッド部を支持し少なくとも前記剛体部側に取り付けられるフレキシャとを備えたヘッド・サスペンションにおいて、
前記ロード・ビーム側又はベース部側の少なくとも一方に、前記フレキシャの振動接触を避けるための凹部又は貫通部を設けた
ことを特徴とするヘッド・サスペンション。
【請求項２】
請求項１記載のヘッド・サスペンションであって、
前記フレキシャは、連設品からカットして単品としたときに残存するカット部を備え、
前記凹部又は貫通部は、前記カット部の振動接触を避けるために前記ロード・ビーム側に設けられた
ことを特徴とするヘッド・サスペンション。
【請求項３】
請求項１又は２記載のヘッド・サスペンションであって、
前記フレキシャは、前記ベース・プレート側上で側方へ曲がる屈曲部を備え、
前記凹部又は貫通部は、前記屈曲部の振動接触を避けるために前記ベース・プレート側に設けられた
ことを特徴とするヘッド・サスペンション。
【請求項４】
請求項１〜３の何れかに記載のヘッド・サスペンションであって、
前記凹部は、パーシャル・エッチングにより形成された
ことを特徴とするヘッド・サスペンション。
【発明の詳細な説明】
【技術分野】
【０００１】
本発明は、コンピュータ等の情報処理装置に内蔵されるハード・ディスク・ドライブ（略してＨＤＤ「Hard Disk Drive」）のヘッド・サスペンションに関する。
【背景技術】
【０００２】
一般に、ヘッド・サスペンションは、ベース・プレートとベース・プレートからヘッド部方向に延びるロード・ビームと、フレキシャなどを備えている。ロード・ビームは通常２０μｍから１００μｍ程度の板厚のステンレス（ＳＵＳ３０４、ＳＵＳ３０１等）で作られる。フレキシャは通常２０μｍ前後の板厚のステンレス（ＳＵＳ３０４）あるいは適当なスプリング材料の基材上に絶縁材料の層（例えばポリイミド）および導電層（銅）が積層法あるいは通常のフォトリソグラフィック法を使用して形成する。
【０００３】
図５は、フレキシャの連設品を示している。各フレキシャ１０１は、基材の結合部１０３により相互に結合され、各基材に導電層等を有した連接品として形成される。ヘッド・サスペンションの組立時に、各フレキシャ１０１は、前記結合部１０３においてカットされ、単品のフレキシャ１０１が各ベース・プレート及びロード・ビーム側に重ね合わされ、所定箇所がレーザー溶接などにより熔着固定される。組立後は、超音波洗浄が行われる。
【０００４】
図６は、組立後のヘッド・サスペンションの要部拡大平面図である。
【０００５】
前記のように、フレキシャ１０１は、結合部１０３でカットされて単品となるため、組立後は、図６のようにカット部１０５が残存する。このカット部１０５は、同図のようにロード・ビーム１０７の剛体部１０９上に重なっている。この状態でカット部１０５は剛体部１０９に対して支持自由な自由端となっている。
【０００６】
このため、前記完成後の超音波洗浄では、カット部１０５が振動して、剛体部１０９の表面に繰り返し振動接触し、接触部分で剛体部１０９が変色するという問題があった。特に、カット部１０５は、カットによるバリが剛体部１０９へ向く形態となるため、変色が激しくなる傾向があった。
【０００７】
また、フレキシャ１０１がベース・プレート側上で側方へ曲がる屈曲部を備えた場合も、屈曲部が超音波洗浄にベース・プレート側に振動接触して変色する傾向もあった。
【０００８】
これに対し、図７のフレキシャ１０１Ａの連設品では、結合部１０３Ａを若干長く形成し、図８のようにカット部１０５Ａを長めに設定してカット部１０５Ａの自由端を剛体部１０９外に位置させることもできる。この場合は、カット部１０５Ａの特に自由端が剛体部１０９に振動接触することもなく、超音波洗浄時の振動接触による変色を抑制することができる。
【０００９】
しかし、フレキシャの基材形成上、レイアウトの制約が出てしまい、自由度の高い設計ができなくなる。
【００１０】
また、屈曲部での変色を抑制することはできない。
【００１１】
【特許文献１】特開２００２−２３７０１３号公報
【発明の開示】
【発明が解決しようとする課題】
【００１２】
解決しようとする問題点は、超音波洗浄時にカット部等が振動し、ロード・ビーム側やベース部側の表面に繰り返し振動接触するなどして、接触部分で剛体部が変色する問題があり、ロード・ビーム側の変色に対しては、カット部を長くして変色を抑制すると自由度の高い設計ができず、また、屈曲部での変色を抑制することはできなかった点である。
【課題を解決するための手段】
【００１３】
本発明は、振動接触によるロード・ビーム等の変色を抑制できながら、自由度の高い設計も可能にするため、ロード・ビーム側又はベース部側の少なくとも一方に、フレキシャの振動接触を避けるための凹部又は貫通部を設けたことを最も主要な特徴とする。
【発明の効果】
【００１４】
本発明のヘッド・サスペンションは、ロード・ビーム側又はベース部側の少なくとも一方に、フレキシャの振動接触を避けるための凹部又は貫通部を設けたため、超音波洗浄時にフレキシャのカット部等が振動しても、凹部又は貫通部がフレキシャのロード・ビーム側又はベース・プレート側への振動接触を抑制することができ、ロード・ビーム側又はベース・プレート側の変色を抑制することができる。
【００１５】
また、変色を避けるためにカット部を長く形成する必要もなく、自由度の高い設計が可能となる。
【発明を実施するための最良の形態】
【００１６】
ロード・ビーム側又はベース・プレート側の変色を抑制すると共に自由度の高い設計を可能にするという目的を、凹部又は貫通部よにり実現した。
【実施例１】
【００１７】
［ヘッド・サスペンションの全体構成］
図１〜図３は本発明の実施例１を適用したハードディスク用のヘッド・サスペンションに係り、図１は、一部を透視した全体平面図、図２は、ヘッド・サスペンションの要部拡大平面図、図３は、図２のＩＩＩ−ＩＩＩ線矢視断面図である。
【００１８】
図１〜図３で示すヘッド・サスペンション１は、例えば、ロード・ビーム３と、ベース部としてのベース・プレート５と、フレキシャ７とを備えている。
【００１９】
前記ロード・ビーム３は、ヘッド部９に負荷荷重を与えるもので、剛体部１１とばね部１３とを備えている。
【００２０】
前記ベース・プレート５は、全体的に矩形板状を呈してボス部１５を備え、ボス部１５においてキャリッジ側のアームにスウェージング等により取り付けられ、軸回りに回転駆動可能となっている。なお、ベース・プレート５は、アームに一体に形成されてキャリッジ側に取り付けられる構成にすることもできる。
【００２１】
前記剛体部１１は、例えばステンレス鋼で形成され、その厚みは、例えば３０μｍ程度に設定されている。剛体部１１は、全体的に細く、厚く形成され基端側１７が、ベース・プレート５側へ向かって漸次幅広に形成されている。剛体部１１の基端には、ばね結合部１９が設けられている。ばね結合部１９の端部は、剛体部１１を多数連設した剛体部連設品を各剛体部にカットしたときのカット部として残存している。
【００２２】
前記ばね部１３は、剛体部１１とは別体のばね部材２１によって形成されたもので、ばね部材２１は、例えばばね性のある薄いステンレス鋼圧延板からなっている。このばね部材２１は、その一端部２３，２５が二股状に形成されている。ばね部材２１の他端側は、補強プレート２７として構成され、ベース・プレート５の全体に渡って重なるように矩形状に形成されている。ばね部材２１は、一端部２３，２５が剛体部１１のばね結合部１９にレーザ溶接などの複数の熔着部２９によって固着され、この結合状態で剛体部１１及びベース・プレート５間に窓部３０が形成されている。従って、ロード・ビーム３は、剛体部１１及びばね部１３を含み、前記剛体部１１が前記ベース・プレート５側に前記ばね部１３を介して支持された構成となっている。ばね部材２１の他端側である補強プレート２７は、ベース・プレート５にレーザ溶接などの複数の熔着部３１によって固着されている。
【００２３】
前記フレキシャ７は、ばね性を有する薄いステンレス鋼圧延板（ＳＳＴ）などの導電性薄板を基材３３とし、電気絶縁層３５を介して配線パターン３７を形成している。フレキシャ７は、レーザ溶接などの熔着部３９によって剛体部１１に固着されている。フレキシャ７の配線パターン３７の一端は、ヘッド部９のスライダに支持された書き込み用の端子、読み取り用の端子に導通接続され、他端はベース・プレート５側に延設されている。フレキシャ７は、ベース・プレート５上で側方へ曲がる屈曲部４１を備えている。屈曲部４１には、基材３３に固定用の舌部４３，４５が設けられ、舌部４３，４５においてレーザ溶接などの熔着部４７により補強プレート２７及びベース・プレート５に固着されている。
【００２４】
［振動接触を避けるための凹部］
図１〜図３のように、前記フレキシャ７は、連設品からカットして単品としたときに残存するカット部４９，５１を備えている。カット部４９，５１は、図２の平面から見て剛体部１１の基端側１７上に位置し、一部基端側１７外に突出している。
【００２５】
前記ロード・ビーム３側の剛体部１１には、前記フレキシャ７の振動接触を避けるための凹部５３，５５が設けられている。凹部５３，５５は、例えば、パーシャル・エッチングにより剛体部１１の基端側１７に厚みに対しほぼ半分の深さで形成され、カット部４９，５１に沿って長く形成され且つ凹部５３，５５の一端部は、基端側１７の屈曲した縁部に開放されている。
【００２６】
そして、フレキシャ７のカット部４９，５１は、凹部５３，５５の底部に対し図３のように間隔を有している。
【００２７】
従って、超音波洗浄時にフレキシャ７のカット部４９，５１等が振動しても、カット部４９，５１が剛体部１１の基端側１７に振動接触することを凹部５３，５５によって抑制することができ、カット部４９，５１が対向する基端側１７の変色を抑制することができる。
【００２８】
また、変色を避けるためにカット部４９，５１を長く形成する必要もなく、自由度の高い設計が可能となる。
【実施例２】
【００２９】
図４は、本発明の実施例２に係り、ヘッド・サスペンションの要部拡大平面図である。なお、基本的な構成は実施例１と同様であり、同一又は対応する構成部分には同符号又は同符号にＡを付して説明する。
【００３０】
図４のように、本実施例のヘッド・サスペンション１Ａでは、ベース・プレート５側に、前記フレキシャ７の振動接触を避けるための凹部５７を設けたものである。
【００３１】
前記フレキシャ７は、前記のようにベース・プレート５側上で側方へ曲がる屈曲部４１を備え、前記凹部５７は、屈曲部４１に対応して設けられている。凹部５７は、平面視で矩形状に形成され、ベース・プレート５側の幅方向中央に左右ほぼ均等な振り分け長さで形成されている。
【００３２】
前記フレキシャ７は、ベース・プレート５側の補強プレート２７上に固定されているため、本実施例の凹部５７は、エッチングにより補強プレート２７に形成された貫通孔により構成されている。従って、凹部５７の底部は、ベース・プレート５の表面となっている。但し、ベース・プレート５にもパーシャル・エッチング或いはプレス加工などにより凹みを設け、補強プレート２７の貫通孔と共に凹部５７を構成することも可能である。
【００３３】
なお、剛体部側の凹部は、実施例１と同様に設けることができる。但し、屈曲部４１に対応してのみ凹部を設けることも可能である。
【００３４】
そして、本実施例でも凹部５７により超音波洗浄時に屈曲部４１の振動接触を避けることができ、ベース・プレート５側の変色を抑制することができる。
［その他］
なお、上記凹部５３，５５，５７に代えて貫通部とすることも可能である。
【００３５】
振動接触を避ける凹部又は貫通部は、その他の必要な箇所に設定することも可能である。
【図面の簡単な説明】
【００３６】
【図１】一部を透視したヘッド・サスペンションの全体平面図である（実施例１）。
【図２】ヘッド・サスペンションの要部拡大平面図である（実施例１）。
【図３】図２のＩＩＩ−ＩＩＩ線矢視断面図である（実施例１）。
【図４】ヘッド・サスペンションの要部拡大平面図である（実施例２）。
【図５】フレキシャ連設品の平面図である（従来例）。
【図６】ヘッド・サスペンションの要部拡大平面図である（従来例）。
【図７】フレキシャ連設品の平面図である（従来例）。
【図８】ヘッド・サスペンションの要部拡大平面図である（従来例）。
【符号の説明】
【００３７】
１，１Ａ      ヘッド・サスペンション
３  ロード・ビーム
５  ベース・プレート（ベース部）
７  フレキシャ
９  ヘッド部
１１  剛体部
１３  ばね部
１７  基端側
５３，５５，５７  凹部
【図１】
2006331580.tif 000003
【図２】
2006331580.tif 000004
【図３】
2006331580.tif 000005
【図４】
2006331580.tif 000006
【図５】
2006331580.tif 000007
【図６】
2006331580.tif 000008
【図７】
2006331580.tif 000009
【図８】
2006331580.tif 000010